(57)【要約】【課題】日常生活においてしばしば凝視される鏡がメモや伝達事項の記載する場所として最適であることに着目し、通常、容姿を映すこと以外には使用されていない鏡と意匠性の低いガラス製のマーカーボードを組み合わせて浴室や洗面所等の湿潤状態でも使用でき、必要な筆記具を保持することが可能な新規な板ガラスを提供する。【解決手段】一方の面へ鏡面加工を施した透光性の板ガラスにおいて、他方の面へ水溶性インクにより筆記が可能で且つ消去が可能な程度の粗面を形成する。また、板ガラスの鏡面加工を施した一方の面へ磁性金属部材を設ける。粗面の形成箇所は板ガラスの一部であり、詳細には、板ガラスの周縁部として板ガラスの中央部が非加工面とする。【選択図】図１
2004160957.tif 000002
【特許請求の範囲】
【請求項１】
一方の面へ鏡面加工を施した透光性の板ガラスにおいて、他方の面へ水溶性インクにより筆記が可能で且つ消去が可能な程度の粗面を形成したことを特徴とする板ガラス。
【請求項２】
前記板ガラスの鏡面加工を施した一方の面へ磁性金属部材を設けたことを特徴とする請求項１に記載の板ガラス。
【請求項３】
前記粗面の形成箇所が板ガラスの一部であることを特徴とする請求項１または請求項２に記載の板ガラス。
【請求項４】
前記粗面の形成箇所が板ガラスの周縁部であると共に板ガラスの中央部が非加工面であることを特徴とする請求項３記載の板ガラス。
【発明の詳細な説明】
【０００１】
【発明の属する技術分野】本発明は、教室、事務所、会議室等において使用され、汎用の筆記具による書き込みとスポンジ等の字消具による拭取り消去とが自在な繰返し使用できると共に、マグネットボードとして機能する鏡面を備えた板ガラスに関するものである。
【０００２】
【従来の技術】従来、この種の繰返し使用できる筆記部村は、特に多人数での学習、営業事務、会議、或いは宣伝、伝言、掲示等においては必要不可欠なものであることから、様々な用途に応じて多種類が開発されており、筆記具にチョークを使用する黒板や、フェルトペン等の汎用の筆記具を使用する白板等が周知のものであるが、何れも、繰返し使用できるという機能性は充足しているものの、近年、強く要望される装飾性、デザイン性には極めて乏しい。
【０００３】
【発明が解決しようとする課題】
ところで、本発明者等は、日常生活においてしばしば凝視される鏡がメモや伝達事項の記載する場所として最適であることに着目した。これらの姿見や手鏡は日常生活で使用されているが、通常、容姿を映すこと以外には使用されていないのが現状である。また、一方でこれらの鏡の存在する浴室や洗面所は、常に湿潤状態であることが多く、紙製の筆記部材を置くには適していない現状もある。
【０００４】
【課題を解決するための手段】
そこで、本発明は、上記の板ガラスにおいては一方、本発明は筆記具を使用して書き込みと消去が可能な従来の鏡面を備えた板ガラスを改良して、表面加工を工夫して筆記部材として機能させると共に、その場で必要な筆記具を保持することが可能な板ガラスの提供することを目的としている。
【０００５】
即ち、意匠性の低いガラス製のマーカーボードに対して鏡の機能を付帯させることで、新規な板ガラスを提供するものである。
【０００６】
より、具体的には、一方の面へ鏡面加工を施した透光性の板ガラスにおいて、他方の面へ水溶性インクにより筆記が可能で且つ消去が可能な程度の粗面を形成する。板ガラスの鏡面加工を施した一方の面へ磁性金属板を設ける。粗面の形成箇所は、板ガラスの一部であり、詳細には、粗面の形成箇所が板ガラスの周縁部であると共に板ガラスの中央部が非加工面として、意匠性と機能性に優れた筆記可能な鏡を形成したものである。
【０００７】
【発明の実施の形態】
以下、本発明の実施の形態を図示例と共に説明する。図１は、本発明の板ガラスの第１実施例の外観図であり、図２は、本発明の板ガラスの第１実施例の平面概要図であり、図３は、本発明の板ガラスの第１実施例の側面概要図であり、図４は、本発明の板ガラスにおける粗面形成箇所の第２実施例の説明図であり、図５は、本発明の板ガラスにおける粗面形成箇所の第３実施例の説明図である。
【０００８】
本発明は、浴室、洗面所、教室、事務所、会議室等の室内の壁面部へ別体として取付けるか、或いは一体的に組設させる大型のもの、又は、キャスター付きの脚部材等を設けて室内の適宜箇所へ移動自在に設置させて使用する中型のもの、又は、机、テーブル等へ載置するか、或いは一体的に組設させて使用する小型のもの等、様々な実施形態をもって使用される。
【０００９】
本発明は、図１に図示の如く、フェルトペン等の汎用の筆記具による書き込みとスポンジ等の字消具による拭取り消去とを自在とさせる板ガラス１である。この透光性の板ガラス１は有色ガラスとして色彩感をより向上させることができる。
【００１０】
図示の如く、本発明の板ガラス１は、例えば長矩形状等の厚みを有した有色透明又は無色透明の硝子等であり、一方の面に鏡面１ｂが形成されているものである。この鏡面１ｂは、例えば、硝酸銀を用いた銀メッキや銅メッキを施し、更に黒色のエナメル等の裏止塗装を施し乾燥させる等の公知の方法で形成される。
【００１１】
そして、他方の面へは、サンドブラスト、ショットブラスト、グライディング等の物理的処理、エッチング、溶解、多孔化、強化等の化学的処理、又は、それらの併用、印刷、蒸着、鍍金、塗装等による散光性の被覆処理等で粗面１ａを形成させる。尚、上記の粗面１ａを、サンドブラストによる機械的切削により形成した略三角形状の凸部の頂部をエッチングにより欠落させた滑らかな山形の凸部が連続する粗面とすることで、フェルトペン等の水溶性インクを使用した筆記具によって書き込まれた文字や図柄が、スポンジ、布等の字消具により簡単に消去できる程度の深さとさせることができる。
【００１２】
上記の如く構成することで、書き込まれた文字や図柄が見易く繰返し使用できる、筆記具による書き込みの際の滑りが無くなる等の相乗効果が生じる。また、粗面１ａの底部をやや鋭角な三角溝とすることで、筆記部材を板ガラス１へ当接させて動かした際にクリック感を得ることができる。
【００１３】
前記粗面１ａは、図４に図示の如く、板ガラス１の表面全体に亘っても、図５に図示の如く、一部分のみにストライプ、図柄状等に形成させても良く、該板ガラス１の形状も自在であることから、デザイン性を鑑みた様々な組合せで形成させることが好ましい。特に、図１及び図２の例の如く、粗面１ａの形成箇所を板ガラス１の周縁部のみとし、板ガラス１の中央部を非加工面とすることで、化粧用鏡等として使用する際の実用性を向上させることができる。
【００１４】
また、本発明においては、前記板ガラス１の鏡面加工を施した一方の面１ａへ磁性金属部材２を設けることが好ましい。これにより、磁石を取付けた筆記具を板ガラス１の表面へ吸着させることができるので、機能性を向上させることができる。また、この磁性金属部材２は、板ガラス１の補強材としても機能する。
【００１５】
以上の如く構成した本発明の板ガラスは、単なる一枚の単層ガラスだけではなく、二枚の板ガラス１を接着性を有した樹脂等で合着させて肉厚の合わせ板硝子としても良く、或いは、二枚の板ガラス１を空気層を介して合着させて複層ガラスとしても構わない。加えて、鏡面１ｂをハーフミラーとさせて、投射スクリーンとして板ガラス１に対して映像を投射させても良く、この場合、板ガラス１の粗面１ａ、即ち筆記面に画像が結像するので、これに対して文字や図柄を書き込むことで、会議の際のプレゼンテーション等に、新規な雰囲気を醸し出しつつ、極めて効果的に使用することも可能である。
【００１６】
【発明の効果】
本発明の板ガラスは、前述の如く、筆記具による書き込みと鏡としての機能があるため、極めて実用性が高く、デザイン性にも優れている。本発明の板ガラスを家具類や建物の壁面部へ組設すれば、姿見、伝言板ともなり生活環境への適応範囲をより広げることができる極めて有意義な発明である。
【図面の簡単な説明】
【図１】本発明の板ガラスの第１実施例の外観図である。
【図２】本発明の板ガラスの第１実施例の平面概要図である。
【図３】本発明の板ガラスの第１実施例の側面概要図である。
【図４】本発明の板ガラスにおける粗面形成箇所の第２実施例の説明図である。
【図５】本発明の板ガラスにおける粗面形成箇所の第３実施例の説明図である。
【符号の説明】
１  板ガラス
１ａ  粗面
１ｂ  鏡面
２  磁性金属部材
【図１】
2004160957.tif 000003
【図２】
2004160957.tif 000004
【図３】
2004160957.tif 000005
【図４】
2004160957.tif 000006
【図５】
2004160957.tif 000007